【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
移動通信方法であって、
共通周波数チャネル上において移動局と通信するために、ワイヤレス・ローカル・エリア・ネットワーク（ＷＬＡＮ）内に複数のアクセス・ポイントを設置し、
前記複数のアクセス・ポイントを、ワイヤード・ローカル・エリア・ネットワーク（ＬＡＮ）においてケーブルで互いに連結し、
前記複数のアクセス・ポイントのうちの１つ以上において、前記移動局によってＷＬＡＮを通じて前記共通周波数チャネル上で送信されたアップリンク信号を受信し、
前記アップリンク信号の受信に応答して、前記複数のアクセス・ポイント間において前記ＬＡＮを通じて１つ以上のメッセージを送り、
前記複数のアクセス・ポイントのうち前記アップリンク信号に応答する１つを選択するように、前記メッセージに基づいて、前記複数のアクセス・ポイント間で調停を行い、
前記複数のアクセス・ポイントのうちの前記選択した１つから、前記移動局に応答を送信すること、
を備えた方法。
【請求項２】
請求項１記載の方法において、前記複数のアクセス・ポイントを連結することは、前記アップリンク信号の受信に応答して前記ＬＡＮを通じて前記メッセージを送ることに加えて、前記ＬＡＮを通じて前記移動局との間でデータを伝達するように、前記複数のアクセス・ポイントを配置することを含む、方法。
【請求項３】
請求項２記載の方法において、前記データを伝達するために前記複数のアクセス・ポイントを配置することは、第１レイテンシを特徴とする第１メディア・アクセス制御（ＭＡＣ）プロトコルにしたがって前記データを伝達するように前記複数のアクセス・ポイントを構成することを含み、前記メッセージを送ることは、前記アップリンク信号の受信に応答して前記メッセージを送るために、前記第１レイテンシよりも低い第２レイテンシを有する第２ＭＡＣプロトコルを用いることを含む、方法。
【請求項４】
請求項３記載の方法において、前記第１ＭＡＣプロトコルはイーサネット・プロトコルを含む、方法。
【請求項５】
請求項３記載の方法において、前記メッセージを送ることは、前記第２ＭＡＣプロトコルを用いて前記メッセージを送るために、前記第１ＭＡＣプロトコルにしたがって前記データを伝達することを強制排除することを含む、方法。
【請求項６】
請求項５記載の方法において、前記データを伝達することを強制排除することは、前記第１ＭＡＣプロトコルによって設けられる衝突回避機構を呼び出すことを含む、方法。
【請求項７】
請求項５記載の方法において、前記データを伝達することを強制排除することは、前記第１ＭＡＣプロトコルにしたがって、前記データのフレームの送信を中断することを含む、方法。
【請求項８】
請求項１から７までのいずれか１項に記載の方法において、前記１つ以上のメッセージを送ることは、前記アップリンク信号を受信したアクセス・ポイントから前記複数のアクセス・ポイントにブロードキャスト・メッセージを送ることを含む、方法。
【請求項９】
請求項１から７までのいずれか１項に記載の方法において、前記複数のアクセス・ポイントの間で調停を行うことは、前記アップリンク信号を受信した前記複数のアクセス・ポイントのうちの１つ以上の各々において、前記複数のアクセス・ポイントのうちどれを、前記アップリンク信号に応答するために選択するか判定するように、前記複数のアクセス・ポイントの各々において前記メッセージを受信し処理することを含む、方法。
【請求項１０】
請求項９記載の方法において、前記メッセージを処理することは、前記メッセージに応答して、前記複数のアクセス・ポイントのうち前記アップリンク信号を最初に受信した１つを選択することを含む、方法。
【請求項１１】
請求項１から７までのいずれか１項に記載の方法において、前記複数のアクセス・ポイントはそれぞれのサービス区域を有し、前記複数のアクセス・ポイントを設置することは、前記サービス区域が実質的に重複するように、前記複数のアクセス・ポイントを設置することを含む、方法。
【請求項１２】
請求項１から７までのいずれか１項に記載の方法において、前記複数のアクセス・ポイントを設置することは、実質的にＩＥＥＥ規格８０２．１１にしたがって前記移動局と通信するように、前記複数のアクセス・ポイントを設置することを含む、方法。
【請求項１３】
請求項１２記載の方法において、前記複数のアクセス・ポイント間で調停を行うことは、前記アップリンク信号を承認するために、前記ＩＥＥＥ規格８０２．１１によって賦課された時間制限以内で前記アップリンク信号に応答するように、前記複数のアクセス・ポイントから前記１つを選択することを含む、方法。
【請求項１４】
ネットワーク通信方法であって、
ローカル・エリア・ネットワーク（ＬＡＮ）において複数のノードを互いに連結すし、
第１レイテンシを特徴とする第１メディア・アクセス制御（ＭＡＣ）プロトコルにしたがって、前記ＬＡＮを通じて前記複数のノード間でデータを伝達し、
前記第１レイテンシよりも低い第２レイテンシを有する第２ＭＡＣプロトコルを用いて、前記複数のノード間で前記ＬＡＮを通じてメッセージを受け渡すために、前記第１ＭＡＣプロトコルにしたがって前記データを伝達することを強制排除すること、
を備えたネットワーク通信方法。
【請求項１５】
請求項１４記載の方法において、前記第１ＭＡＣプロトコルはイーサネット・プロトコルを含む、方法。
【請求項１６】
請求項１５記載の方法において、前記データを伝達することを強制排除することは、前記イーサネット・プロトコルにおける物理レイヤとＭＡＣレイヤとの間で、メディア独立インターフェース（ＭＩＩ）にしたがって信号をアサートすることを含む、方法。
【請求項１７】
請求項１４から１６までのいずれか１項に記載の方法において、前記データを伝達することを強制排除することは、前記第１ＭＡＣプロトコルによって設けられた衝突回避機構を呼び出すことを含む、方法。
【請求項１８】
請求項１４から１６までのいずれか１項に記載の方法において、前記データを伝達することを強制排除することは、前記第１ＭＡＣプロトコルにしたがって前記データのフレームの送信を中断することを含む、方法。
【請求項１９】
請求項１４から１６までのいずれか１項に記載の方法において、前記データを伝達することは、前記第１ＭＡＣプロトコルにしたがって前記ＬＡＮ上で前記ノード間において同期を確立することを含み、前記データを伝達することを強制排除することは、前記第２ＭＡＣプロトコルを用いて前記メッセージを送るために、前記確立した同期を用いることを含む、方法。
【請求項２０】
請求項１４から１６までのいずれか１項に記載の方法において、前記データを伝達することは、第１形式の誤り検出コードを含むデータ・フレームを送ることを含み、前記データを伝達することを強制排除することは、前記第１形式とは異なる第２形式の誤り検出コードと共に前記メッセージを送ることを含む、方法。
【請求項２１】
移動通信システムであって、
ワイヤード・ローカル・エリア・ネットワーク（ＬＡＮ）を形成するように配されたケーブルと、
前記ＬＡＮによって相互接続され、移動局と共通周波数チャネル上で通信するためにワイヤレス・ローカル・エリア・ネットワーク（ＷＬＡＮ）内に設置された複数のアクセス・ポイントであって、該複数のアクセス・ポイントは、該複数のアクセス・ポイントの１つ以上において、前記移動局が前記共通周波数チャネル上で前記ＷＬＡＮを通じて送信したアップリンク信号を受信したときに、前記アップリンク信号の受信に応答して、前記複数のアクセス・ポイント間で１つ以上のメッセージを前記ＬＡＮを通じて送り、前記メッセージに基づいて前記複数のアクセス・ポイント間で調停して、前記複数のアクセス・ポイントから前記アップリンク信号に応答する１つを選択し、前記複数のアクセス・ポイントから選択した前記１つから前記移動局に応答を送信するように構成されている、複数のアクセス・ポイントと、
を備えている、移動通信システム。
【請求項２２】
請求項１記載のシステムにおいて、前記複数のアクセス・ポイントは、前記アップリンク信号の受信に応答して前記ＬＡＮを通じて前記メッセージを送ることに加えて、前記ＬＡＮを通じて前記移動局にデータを伝達し、かつ前記移動局からのデータを伝達するように構成されている、システム。
【請求項２３】
請求項２２記載のシステムにおいて、前記複数のアクセス・ポイントは、第１レイテンシを特徴とする第１メディア・アクセス制御（ＭＡＣ）プロトコルにしたがって前記データを伝達し、前記アップリンク信号の受信に応答して、前記第１レイテンシよりも低い第２レイテンシを有する第２ＭＡＣプロトコルを用いて前記メッセージを送るように構成されている、システム。
【請求項２４】
請求項２３記載のシステムにおいて、前記第１ＭＡＣプロトコルはイーサネット・プロトコルを含む、システム。
【請求項２５】
請求項２３記載のシステムにおいて、前記複数のアクセス・ポイントは、前記第２ＭＡＣプロトコルを用いて前記メッセージを送るために、前記第１ＭＡＣプロトコルにしたがって前記データを伝達することを強制排除するように構成されている、システム。
【請求項２６】
請求項２５記載のシステムにおいて、前記複数のアクセス・ポイントは、前記第１ＭＡＣプロトコルによって設けられている衝突回避機構を呼び出すことによって、前記データを伝達することを強制排除するように構成されている、システム。
【請求項２７】
請求項２５記載のシステムにおいて、前記複数のアクセス・ポイントは、前記第１ＭＡＣプロトコルにしたがって前記データのフレームの送信を中断することによって、前記データを伝達することを強制排除するように構成されている、システム。
【請求項２８】
請求項２１から２７までのいずれか１項に記載のシステムにおいて、前記１つ以上のメッセージは、前記アップリンク信号を受信した前記アクセス・ポイントから前記複数のアクセス・ポイントに送られるブロードキャスト・メッセージを含む、システム。
【請求項２９】
請求項２１から２７までのいずれか１項に記載のシステムにおいて、前記複数のアクセス・ポイントは、前記アップリンク信号を受信した前記複数のアクセス・ポイントの１つ以上の各々が、前記アップリンク信号に応答するために前記複数のアクセス・ポイントのうちどの一つが選択されるかについて判定するために、前記メッセージを受信し処理するように構成されている、システム。
【請求項３０】
請求項２９記載のシステムにおいて、前記複数のアクセス・ポイントは、前記メッセージに応答して、前記複数のアクセス・ポイントから、前記アップリンク信号を最初に受信した前記１つを選択するように構成されている、システム。
【請求項３１】
請求項２１から２７までのいずれか１項に記載のシステムにおいて、前記複数のアクセス・ポイントは、それぞれのサービス区域を有し、該複数のアクセス・ポイントは、前記サービス区域が実質的に重複するように配置されている、システム。
【請求項３２】
請求項２１から２７までのいずれか１項に記載のシステムにおいて、前記複数のアクセス・ポイントは、実質的にＩＥＥＥ規格８０２．１１にしたがって前記移動局と通信するように構成されている、システム。
【請求項３３】
請求項３２記載のシステムにおいて、前記複数のアクセス・ポイントは、前記アップリンク信号を承認するために、ＩＥＥＥ規格８０２．１１によって賦課される時間制限以内に前記アップリンク信号に応答する前記１つを前記複数のアクセス・ポイントから選択するように構成されている、システム。
【請求項３４】
ネットワーク通信システムであって、
ワイヤード・ローカル・エリア・ネットワーク（ＬＡＮ）を形成するように配されたケーブルと、
複数のノードであって、前記ＬＡＮによって互いに連結され、第１レイテンシを特徴とする第１メディア・アクセス制御（ＭＡＣ）プロトコルにしたがって前記複数のノード間で前記ＬＡＮを通じてデータを伝達するように構成されており、更に、前記第１レイテンシよりも低い第２レイテンシを有する第２ＭＡＣプロトコルを用いて、前記ＬＡＮを通じて前記複数のノード間でメッセージを受け渡すために、前記第１ＭＡＣプロトコルにしたがって前記データを伝達することを強制排除するように構成されている、複数のノードと、
を備えている、ネットワーク通信システム。
【請求項３５】
請求項３４記載のシステムにおいて、前記第１ＭＡＣプロトコルはイーサネット・プロトコルを含む、システム。
【請求項３６】
請求項３５記載のシステムにおいて、前記複数のノードは、前記イーサネット・プロトコルにおける物理レイヤとＭＡＣレイヤとの間で、メディア独立インターフェース（ＭＩＩ）にしたがって信号をアサートすることによって、前記データを伝達することを強制排除するように構成されている、システム。
【請求項３７】
請求項３４から３６までのいずれか１項に記載のシステムにおいて、前記複数のノードは、前記第１ＭＡＣプロトコルによって設けられている衝突回避機構を呼び出すことによって、前記データを伝達することを強制排除するように構成されている、システム。
【請求項３８】
請求項３４から３６までのいずれか１項に記載のシステムにおいて、前記複数のノードは、前記第１ＭＡＣプロトコルにしたがって、前記データのフレームの送信を中断することによって、前記データを伝達することを強制排除するように構成されている、システム。
【請求項３９】
請求項３４から３６までのいずれか１項に記載のシステムにおいて、前記複数のノードは、前記第１ＭＡＣプロトコルにしたがって前記ＬＡＮ上において前記複数のノード間で同期を確立し、前記第２ＭＡＣプロトコルを用いて前記メッセージを送るために、前記確立した同期を用いるように構成されている、システム。
【請求項４０】
請求項３４から３６までのいずれか１項に記載のシステムにおいて、前記複数のノードは、第１形式の誤り検出コードを含むデータ・フレームを送ることによって前記データを伝達し、前記第１形式とは異なる第２形式の誤り検出コードと共に前記メッセージを送るように構成されている、システム。
【請求項４１】
移動通信のための複数のアクセス・ポイントの１つとして、ワイヤレス・ローカル・エリア・ネットワーク（ＷＬＡＮ）における配置のためのアクセス・ポイント装置であって、該装置は、
所定の周波数チャネル上において、移動局と通信するように構成されている無線トランシーバと、
前記複数のアクセス・ポイントを相互接続するワイヤード・ローカル・エリア・ネットワーク（ＬＡＮ）に前記アクセス・ポイントを接続するための物理レイヤ・インターフェースと、
前記トランシーバが、前記所定の周波数チャネル上において前記移動局が前記ＷＬＡＮを通じて送信したアップリンク信号を受信したときに、前記物理レイヤ・インターフェースを介して前記ＬＡＮを通じて前記複数のアクセス・ポイントとの間でメッセージを送受し、前記複数のアクセス・ポイントから前記アップリンク信号に応答する１つを選択するように、前記メッセージに基づいて前記複数のアクセス・ポイント間で調停を行い、前記トランシーバが、前記調停プロトコルの対象となっている前記移動局に応答を返送するように、前記トランシーバを制御するように構成されている処理回路と、
を備えている、アクセス・ポイント装置。
【請求項４２】
請求項４１記載の装置において、前記処理回路は、更に、前記アップリンク信号に応答して前記ＬＡＮを通じて前記メッセージを送出および受信することに加えて、前記物理レイヤ・インターフェースを介して前記ＬＡＮを通じて前記移動局にデータを伝達し、かつ前記移動局からのデータを伝達するように構成されている、装置。
【請求項４３】
請求項４２記載の装置において、前記処理回路は、第１レイテンシを特徴とする第１メディア・アクセス制御（ＭＡＣ）プロトコルにしたがって前記データを伝達し、前記第１レイテンシよりも低い第２レイテンシを有する第２ＭＡＣプロトコルを用いて、前記アップリンク信号の受信に応答して、前記メッセージを送出および受信するように構成されている、装置。
【請求項４４】
請求項４３記載の装置において、前記第１ＭＡＣプロトコルはイーサネット・プロトコルを含む、装置。
【請求項４５】
請求項４３記載の装置において、前記処理回路は、前記第２ＭＡＣプロトコルを用いて前記メッセージを送るために、前記第１ＭＡＣプロトコルにしたがって前記データを伝達することを強制排除するように構成されている、装置。
【請求項４６】
請求項４５記載の装置において、前記処理回路はマルチプレクサを備えており、該マルチプレクサは、前記データを伝達することを強制排除するために、前記第１ＭＡＣプロトコルによって設けられた衝突回避機構を呼び出すように構成されている、装置。
【請求項４７】
請求項４６記載の装置において、前記処理回路は、ＭＡＣプロセッサを備えており、該ＭＡＣプロセッサは、前記第１ＭＡＣプロトコルにしたがって送信するための前記データのフレームを生成するように構成されており、前記マルチプレクサは、前記ＭＡＣプロセッサに前記データの前記フレームの１つの伝達を中断させるために、前記衝突回避機構を用いるように構成されている、装置。
【請求項４８】
請求項４１から４７までのいずれか１項に記載の装置において、前記アップリンク信号の受信に応答して前記処理回路によって送出および受信される前記メッセージは、前記アップリンク信号を受信した前記アクセス・ポイントから前記複数のアクセス・ポイントに送られるブロードキャスト・メッセージを含む、装置。
【請求項４９】
請求項４１から４７までのいずれか１項に記載の装置において、前記処理回路は、前記アップリンク信号を受信した前記複数のアクセス・ポイントの前記１つ以上の各々が、当該複数のアクセス・ポイントから、前記アップリンク信号に応答するためにどの一つが選択されるべきかについて判定するために、前記メッセージを受信し処理するように構成されている、装置。
【請求項５０】
請求項４９記載の装置において、前記処理回路は、前記メッセージに応答して、前記複数のアクセス・ポイントから、前記アップリンク信号を最初に受信した１つを選択するように構成されている、装置。
【請求項５１】
請求項４１から４７までのいずれか１項に記載の装置において、前記トランシーバは、実質的にＩＥＥＥ規格８０２．１１にしたがって前記移動局と通信するように構成されている、装置。
【請求項５２】
請求項５１記載の装置において、前記処理回路は、前記アップリンク信号を承認するために、前記複数のアクセス・ポイントから、ＩＥＥＥ規格８０２．１１によって賦課される時間制限以内に前記アップリンク信号に応答する１つを選択するように構成されている、装置。
【請求項５３】
ローカル・エリア・ネットワーク（ＬＡＮ）において複数のノードの１つとしての配置のためのノード装置であって、該装置は、
前記ノードを前記ＬＡＮに接続するための物理レイヤ・インターフェースと、
第１レイテンシを特徴とする第１メディア・アクセス制御（ＭＡＣ）プロトコルにしたがって、前記ＬＡＮを通じて前記物理レイヤ・インターフェースを介してデータを伝達するように構成されており、更に、前記第１レイテンシよりも低い第２レイテンシを有する第２ＭＡＣプロトコルを用いて、前記ＬＡＮを通じてメッセージを受け渡すために前記第１ＭＡＣプロトコルにしたがって前記データを伝達することを強制排除するように構成されている、処理回路と、
を備えている、ノード装置。
【請求項５４】
請求項５３記載の装置において、前記第１ＭＡＣプロトコルは、イーサネット・プロトコルを含む、装置。
【請求項５５】
請求項５３記載の装置において、前記処理回路は、
前記第１ＭＡＣプロトコルにしたがって前記データを伝達する第１ＭＡＣプロセッサと、
前記第２ＭＡＣプロトコルにしたがって前記メッセージを送出および受信する第２ＭＡＣプロセッサと、
前記第１および第２ＭＡＣプロセッサを前記物理レイヤ・インターフェースに結合するマルチプレクサであって、前記第２ＭＡＣプロセッサが前記メッセージを送出可能とするために、前記第１ＭＡＣプロセッサに取って代わるように構成されている、マルチプレクサと、
を備えている、装置。
【請求項５６】
請求項５５記載の装置において、前記第１ＭＡＣプロトコルはイーサネット・プロトコルから成り、前記マルチプレクサは、前記イーサネット・プロトコルにおける物理レイヤとＭＡＣレイヤとの間で、メディア独立インターフェース（ＭＩＩ）にしたがって信号をアサートすることによって、前記第１ＭＡＣプロセッサに取って代わるように構成されている、装置。
【請求項５７】
請求項５５記載の装置において、前記マルチプレクサは、前記第１ＭＡＣプロトコルによって設けられた衝突回避機構を呼び出すことによって、前記第１ＭＡＣプロセッサに取って代わるように構成されている、装置。
【請求項５８】
請求項５５記載の装置において、前記マルチプレクサは、前記第１ＭＡＣプロセッサに取って代わるときに、前記第１ＭＡＣプロセッサが生成した前記データのフレームの送信を中断するように構成されている、装置。
【請求項５９】
請求項５５記載の装置において、前記第１ＭＡＣプロセッサは、第１形式の誤り検出コードを含むデータ・フレームを生成するように構成されており、前記第２ＭＡＣプロセッサは、前記第１形式とは異なる第２形式の誤り検出コードと共に前記メッセージを生成するように構成されている、装置。
【請求項６０】
請求項５３から５９までのいずれか１項に記載の装置において、前記物理レイヤ・インターフェースは、前記第１ＭＡＣプロトコルにしたがって、前記ＬＡＮ上において前記ノード間に同期を確立し、前記第２ＭＡＣプロトコルを用いて前記メッセージを送るために、前記確立した同期を用いるように構成されている、装置。